(57)【特許請求の範囲】
【請求項１】
使用者に着装された携帯型の呼吸用保護装置に正圧空気源を流体流通可能に連結するための空気圧アダプタにおいて、
前記呼吸用保護装置に直接に接続できるアダプタハウジングであって、前記正圧空気源に接続できる入口部と、前記呼吸用保護装置に流体流通可能に接続できる出入口領域とを、該アダプタハウジングの内部で互いに流体流通可能に連結して備えるアダプタハウジングと、
前記入口部と前記出入口領域との間に介在する多孔部材であって、空気導管騒音を低減するとともに、該入口部から該出入口領域への空気の流動を許容する多孔部材と、
を具備することを特徴とする空気圧アダプタ。
【請求項２】
フィルタカートリッジを備えた呼吸用保護装置に正圧空気源を流体流通可能に連結するための正圧／負圧アダプタにおいて、
前記フィルタカートリッジを前記呼吸用保護装置に流体流通可能に連結するための出入口領域と、前記正圧空気源を該出入口領域に接続するための入口部と、該正圧空気源からの正圧に応答して該出入口領域から該フィルタカートリッジへの空気の流れを制限する第１逆止弁とを有するアダプタハウジングを具備することを特徴とする正圧／負圧アダプタ。
【請求項３】
使用者に着装されて正圧空気源とともに使用される携帯型の呼吸用保護装置であって、
排気口と少なくとも１つの吸入口とを備えたフェースマスクと、
前記少なくとも１つの吸入口に流体流通可能に接続できるアダプタハウジングであって、前記正圧空気源に接続できる入口部と、前記フェースマスクに流体流通可能に接続できる出入口領域とを、該アダプタハウジングの内部で互いに流体流通可能に連結して備えるアダプタハウジングと、
前記入口部と前記出入口領域との間に介在する多孔部材であって、空気導管騒音を低減するとともに、該入口部から該出入口領域への空気の流動を許容する多孔部材と、
を具備することを特徴とする呼吸用保護装置。
【発明の詳細な説明】
【０００１】
【発明の属する技術分野】
本発明は、正圧式と負圧式との複合形の呼吸用保護装置に関し、特に、呼吸用保護装置で使用される正圧／負圧アダプタにする。
【０００２】
【従来の技術及び発明が解決しようとする課題】
呼吸用保護装置は、塗装ブース、穀物貯蔵設備、実験室、汚染物質が存在する生産設備等の、様々な危険環境において使用される。一般に呼吸用マスクは、様々な異なる危険環境において同一構造のフェースマスクを使用できるように、呼吸可能な空気源を装着者に供与するための多様なフィルタカートリッジ又は給気コネクタを受容するようになっている。
【０００３】
呼吸用保護装置は、正圧式呼吸用保護装置と負圧式呼吸用保護装置との２種類に大別される。一般に正圧式呼吸用保護装置は、フェースマスク内に清浄空気を圧送するための外部のポンプ又は加圧槽等の正圧空気源を備える。正圧空気源は、清浄で呼吸可能な空気をフェースマスクに過剰に送給する。正圧空気源によってフェースマスク内に生じる正味正圧は、環境空気がマスクのフェースシール周辺に引き込まれることを防止する。
【０００４】
正圧式呼吸用保護装置に使用される正圧空気源の一例は、動力付空気浄化式呼吸器（ＰＡＰＲ）である。一般に動力付空気浄化式呼吸器は、フェースマスクから使用者が着装した電池式送風装置まで延びる呼吸管を備える。この送風装置は一般に、環境空気から汚染物質を除去するためのフィルタを収容する。動力付空気浄化式呼吸器は、使用者が空気導管に束縛されることなく自由に動ける利点を有する。しかし動力付空気浄化式呼吸器は、定常流式呼吸器に比べて高価になる傾向がある。また動力付空気浄化式呼吸器は、電池作動式のため、限られた時間しか使用できない。しかも一般に動力付空気浄化式呼吸器は、電池式送風装置が小口径の呼吸管に対し充分な圧力を生じ得ないので、大口径（約２５mm）の呼吸管を必要とする。このような大口径の呼吸管は、使用者にとって扱い難いものである。
【０００５】
或いはまた、正圧空気源は、空気導管によって使用者に連結されるコンプレッサ又は圧力槽であることもできる。一般にこのようなシステムは、使用者に呼吸可能な空気を供給するためのフィルタをコンプレッサに備える。しかし適用によっては、空気導管が使用者の特定の動作遂行能力を制限する場合がある。また、空気導管がもつれたり、加圧空気の供給が不意に停止したりして、使用者を汚染物質に曝す可能性がある。
【０００６】
他の種類に大別される呼吸用保護装置は、使用者の吸い込みにより空気がフィルタカートリッジを通してフェースマスク内に引き込まれるので、負圧式呼吸用保護装置と呼ばれる。フィルタカートリッジは、気体及び蒸気に対する防護用の吹込微小繊維や炭素式システム等の多様な濾過要素を備える。負圧式呼吸用保護装置は、装着者が空気導管を引きずらずにすみ、また高価な動力付空気浄化式呼吸器を着装する必要がないという利点を有する。負圧式呼吸用保護装置の欠点は、使用者が濾過媒体を通して空気を吸い込むのに肺の力を用いなければならず、またそれにより生じたフェースマスク内の負圧が汚染物質をフェースシール周辺に引き込んでしまう可能性がある点にある。また、濾過媒体を通して空気を吸引するために肺の呼吸力を使用すると、フェースマスクの温度が上がり、装着者が不快感を被る傾向がある。したがって一般に負圧式呼吸用保護装置は、正圧式呼吸用保護装置に比べて保護能力が低くなっている。
【０００７】
【課題を解決するための手段】
上記課題を解決するために、請求項１に記載の発明は、使用者に着装された携帯型の呼吸用保護装置に正圧空気源を流体流通可能に連結するための空気圧アダプタにおいて、呼吸用保護装置に直接に接続できるアダプタハウジングであって、正圧空気源に接続できる入口部と、呼吸用保護装置に流体流通可能に接続できる出入口領域とを、アダプタハウジングの内部で互いに流体流通可能に連結して備えるアダプタハウジングと、入口部と出入口領域との間に介在する多孔部材であって、空気導管騒音を低減するとともに、入口部から出入口領域への空気の流動を許容する多孔部材と、を具備することを特徴とする空気圧アダプタを提供する。
請求項２に記載の発明は、フィルタカートリッジを備えた呼吸用保護装置に正圧空気源を流体流通可能に連結するための正圧／負圧アダプタにおいて、フィルタカートリッジを呼吸用保護装置に流体流通可能に連結するための出入口領域と、正圧空気源を出入口領域に接続するための入口部と、正圧空気源からの正圧に応答して出入口領域からフィルタカートリッジへの空気の流れを制限する第１逆止弁とを有するアダプタハウジングを具備することを特徴とする正圧／負圧アダプタを提供する。
請求項３に記載の発明は、使用者に着装されて正圧空気源とともに使用される携帯型の呼吸用保護装置であって、排気口と少なくとも１つの吸入口とを備えたフェースマスクと、少なくとも１つの吸入口に流体流通可能に接続できるアダプタハウジングであって、正圧空気源に接続できる入口部と、フェースマスクに流体流通可能に接続できる出入口領域とを、アダプタハウジングの内部で互いに流体流通可能に連結して備えるアダプタハウジングと、入口部と出入口領域との間に介在する多孔部材であって、空気導管騒音を低減するとともに、入口部から出入口領域への空気の流動を許容する多孔部材と、を具備することを特徴とする呼吸用保護装置を提供する。
【０００８】
呼吸用保護装置から出入口領域への空気の流れを制限するために、第２逆止弁を設けることができる。
本発明はまた、上記の正圧／負圧アダプタにおいて、第１逆止弁が、出入口領域をフィルタカートリッジに流体流通可能に連結するための吸入口に設置される正圧／負圧アダプタを提供する。
【０００９】
第２逆止弁は、正圧／負圧アダプタ又は呼吸用保護装置に設けた吸入口に設置できる。
本発明はまた、上記の正圧／負圧アダプタにおいて、アダプタハウジングがさらに、入口部と出入口領域との間に介在される多孔部材を備える正圧／負圧アダプタを提供する。
【００１０】
本発明はまた、上記の正圧／負圧アダプタにおいて、多孔部材が、焼結金属、多孔ポリプロピレン、多孔ポリエチレン、多孔アセタール、多孔セラミック及び多孔ガラスビーズ構造を含むグループから選択される正圧／負圧アダプタを提供する。
多孔部材は、マフラー、ディフューザ、又はそれら両方の機能を有することができる。
【００１１】
本発明はまた、上記の正圧／負圧アダプタにおいて、アダプタハウジングと呼吸用保護装置とが１つのユニットとして形成される正圧／負圧アダプタを提供する。
アダプタハウジングとフィルタカートリッジとを１つのユニットとして形成することもできる。
【００１２】
本発明はまた、上記の正圧／負圧アダプタにおいて、入口部を正圧空気源に連結する空気導管をさらに具備する正圧／負圧アダプタを提供する。
本発明はまた、上記の正圧／負圧アダプタにおいて、フェースマスク、排気口及び少なくとも１つの吸入口を備え、出入口領域が呼吸用保護装置の少なくとも１つの吸入口に流体流通可能に連結される正圧／負圧アダプタを提供する。
【００１３】
正圧空気源は、小形の動力付空気浄化器か、又はコンプレッサ若しくは加圧槽から供給される定常空気流を有することができる。空気導管は、装着者を空気導管から離脱できるようにする急速解除機構を備えることができる。呼吸用保護装置は、正圧空気源から分離されると、負圧式呼吸用保護装置として作用する。逆止弁は、環境空気が呼吸用保護装置内に吸引されように、急速解除機構とフェースマスクとの間に配置されることが好ましい。
【００１４】
さらに本発明は、正圧空気源に接続可能な正圧／負圧式呼吸用保護装置であって、排気口と少なくとも１つの吸入口とを備えたフェースマスク、フィルタカートリッジを少なくとも１つの吸入口に流体流通可能に連結する出入口領域と正圧空気源に接続可能な入口部とを備えた正圧／負圧アダプタ、及び正圧空気源からの正圧に応答して出入口領域からフィルタカートリッジへの空気の流れを制限すべく配置された第１逆止弁を具備することを特徴とする正圧／負圧式呼吸用保護装置を提供する。
【００１５】
本発明の正圧／負圧式呼吸用保護装置は、フェースマスクの吸引口に、正圧式呼吸用保護装置と負圧式呼吸用保護装置との両機能を付与する。第２逆止弁は、フェースマスク室から正圧／負圧アダプタへの空気の流れを制限するために、フェースマスクに近接して設置することができる。
さらに本発明は、正圧／負圧複合形呼吸用保護装置の操作方法であって、フィルタカートリッジを呼吸用保護装置に流体流通可能に連結するための正圧／負圧アダプタに正圧空気源を接続し、呼吸用保護装置が正圧式呼吸用保護装置として作動するように、正圧空気源からの正圧に応答して正圧／負圧アダプタからフィルタカートリッジへの空気の流れを制限し、少なくとも一部の空気がフィルタカートリッジを通して呼吸用保護装置に導入されるように、正圧空気源から正圧／負圧アダプタへの空気の流れを低減する各ステップを備えたことを特徴とする方法を提供する。
【００１７】
なお本明細書において、「環境空気」という用語は周囲の空気を意味する。「逆止弁」という用語は、一方向への流れを自動的に制限するためのあらゆる装置を意味する。「汚染物質」という用語は、呼吸に有害な気体状、蒸気状又は粒子状の化学物質を意味する。「外部環境」という用語は、呼吸用保護装置の外部の環境空気を意味する。「フェースマスク」という用語は、使用者の顔、首、頭等を密着係合状態で完全に又は部分的に覆うマスクを意味する。「被覆成形」という用語は、付加的な成形構造を追加するために物体に成形工程を行うことを意味する。「正圧空気源」という用語は、呼吸用保護装置に呼吸可能な空気を圧送する装置を意味し、動力付空気浄化式呼吸器（ＰＡＰＲ）、定置空気ポンプないしコンプレッサ、加圧槽等の、小形空気ポンプを含む。
【００１８】
【発明の実施の形態】
図１は、正圧／負圧複合形の呼吸用保護装置２０を示す。一対の正圧／負圧アダプタ２２、２４は、部分フェースマスク２６にそれぞれの吸入口（図４）にて連結される。フェースマスク２６は、逆止弁（図示せず）を有した排気口２８と、使用者への着装用のストラップ３０とを備える。部分フェースマスク２６は使用者の口と鼻とを実質的に覆う。本発明に係る正圧／負圧アダプタは、あらゆる型式のフェースマスクとともに使用できる。
【００１９】
一対のフィルタカートリッジ３２、３４は、正圧／負圧アダプタ２２、２４にそれぞれ取付けられる。Ｙコネクタ３７を備えた空気導管３６は、各アダプタ２２、２４を正圧空気源３８に連結する。各一対の正圧／負圧アダプタ２２、２４及びフィルタカートリッジ３２、３４を使用したので、呼吸用保護装置２０は実質的水平に平衡した状態に保持される。しかしながら本発明は、各１個のアダプタ及びフィルタカートリッジを備えた呼吸用保護装置を包含するものである。
【００２０】
空気導管３６は、逆止弁４０と急速解除機構４２とを備え、使用者と正圧空気源３８との連結を迅速に解除できるようになっている。逆止弁４０は、空気導管３６を正圧空気源３８から外したときに、環境空気がフェースマスク２６内に吸い込まれることを防止する。逆止弁４０は、急速解除機構４２と呼吸用保護装置２０との間の空気導管３６に沿って、いかなる場所にも配置できる。この用途で好適に使用されるのは、ニュージャージ州バトラーのジェネラントカンパニーから商標名ＩＣＶシリーズで知られている逆止弁である。空気導管３６又は逆止弁４０は、低圧警報装置を内蔵することができる。低圧警報装置は、正圧空気源３８からの空気流が所定レベルよりも低下したこと、及びフィルタカートリッジ３２、３４がそれらの空気の少なくとも一部を供与していることを、使用者に警告する。
【００２１】
図２は、図１の呼吸用保護装置２０の側面図であり、フェースマスク２６から前方へ延びる空気導管３６を示す。ベルトクリップ３９は、空気導管３６を使用者に取付けるために設けられ、呼吸用保護装置２０が使用者の顔（図示せず）から不注意に引っ張られないようになっている。
図３は、正圧／負圧アダプタ２２、２４の断面斜視図であり、空気導管３６から空気分配路５０に流入する空気の流れを矢印で示す。図３に示す実施形態では、空気分配路５０は後述するように出入口領域５２を実質的に取り巻いて延びる。しかし、本発明の範囲から逸脱することなく、様々な形状の空気分配路を使用できる。差込コネクタ６０は、アダプタハウジング２３の吸入口６８に隣接して設けられる。
【００２２】
供給された空気は、矢印で示すように空気分配路５０に進入し、多孔部材５４を径方向へ通り抜けて出入口領域５２へ流入する。多孔部材５４は、焼結材料（例えば黄銅）、多孔ポリプロピレン又はアセタール、多孔セラミック又はガラスビード構造、等の様々な多孔材料から形成できる。この用途で好適に使用されるのは、ペンシルバニア州リーディングのジェネラルポリメリックで生産されている平均孔径１００μm の多孔ポリエチレンである。
【００２３】
空気導管騒音減衰試験
呼吸用マスクを、空気導管、アダプタ、弁、及びフェースマスク金具類を通る空気流によって生じる騒音の大きさに関し、カーペット及び吸音天井処理を施した静粛な実験室で試験した。試験された呼吸用マスクは、マネキンの頭部に固着され、集音マイクは頭部表面から３．５cm離れて、模擬の耳に対応する位置に設置された。空気流によって生じた音は、マイク、プリアンプ、及びＡ特性の信号アンプ（デンマーク国ニーラムの Bruel&Kjaer社から入手可能なモデル2610）を用いて捕捉された。信号は、rms.（実効値）平均で１／３オクターブモードに設定されたダイナミックシグナルアナライザ（ワシントン州エベレットのヒューレットパッカード社から入手可能なモデル3561A ）を用いて分析された。分析周波数帯域幅は１２．５Hz〜２０KHz であった。マイク、プリアンプ及びアンプは、音量校正器（ Bruel&Kjaer社から入手可能なモデル4230）を用いて校正された。ハーフマスク形呼吸用保護具（ミネソタ州セントポールの３Ｍ社から入手可能な３ＭブランドのEasi-Air（商標名）7200）が、空気導管アダプタ（３Ｍ社W-3187）を備えたものと、本発明のアダプタ（多孔部材（すなわちマフラー）５４を有するものと有しないもの）を備えたものとに関して、３．３０４リットル毎秒の空気流で試験された。多孔部材５４の寸法は、外径４．０cm、内径３．３cm、高さ１．１cmであった。マイクで測定された音圧レベルを、以下の表に示す。
【００２４】
【表１】
0003756571.tif 000002
【００２５】
上表が示すように、マフラーは、１２．５Hz〜２０KHz の周波数領域に亙って積分音圧レベルを典型的に２０dB低減させる。これは、マフラー部材を持たないアダプタで得られた結果の４分の１の騒音レベルに相当する。さらに多孔部材５４は、空気流の強さを分散させるディフューザとして作用し、フェースマスク２６に進入する空気の最大速度を減少させる一方で、使用者の要求を上回る供給空気を間断無く流通させる。
【００２６】
図４は、正圧／負圧アダプタ２２又は２４の断面側面図であり、フィルタカートリッジ３２又は３４をフェースマスク２６の１つの吸入口６２に流体の流通が可能なように連結する状態を示す。フィルタカートリッジ３２（３４）は、アダプタ２２（２４）の吸入口６８に設けた差込コネクタ６０に取付けられる。フェースマスク２６の吸入口６２に隣接して、対応の差込コネクタ６０′が設けられる。好適な実施形態では、差込コネクタ６０、６０′は同一構造であり、フィルタカートリッジ３２（３４）をフェースマスク２６に直接取付け可能となっている。しかし適用によっては、一方の差込コネクタ６０、６０′の構造を変更して、それに取付けられる部材の構造を限定することが望ましい場合もある。アダプタ２２（２４）とフィルタカートリッジ３２（３４）及びフェースマスク２６との間には、それぞれシール６４を介在させることが好ましい。これらシールは、様々な弾性材料から構成できるが、独立気泡ウレタンゴム又はシリコーンがこの用途では好適である。
【００２７】
図示実施形態では差込コネクタ６０、６０′を開示したが、本発明は、様々な構成要素２２、２４、２６、３２、３４を流体の流通が可能なように連結するために使用されるこのようなコネクタの形式を限定するものではない。所望によりガスケットを用いてシールされた状態で対応の一体形シリンダに螺着されるねじ付部材を恒久的又は着脱可能に受容する形式のコネクタも、本発明の範囲内で採用可能である。また、幾つかの構成要素を１つのユニットとして形成することもできる。例えば、フィルタカートリッジ３２（３４）とアダプタ２２（２４）とをユニット化できる。或いは、フェースマスク２６の吸入口６２とアダプタ２２（２４）とを１つのユニットとして形成できる。
【００２８】
図４に示すように、空気が多孔部材５４を通過して出入口領域５２に進入すると、正圧弁６６は、空気が吸入口６８を通ってフィルタカートリッジ３２（３４）に進入するのを制止する。正圧弁６６は、吸入口６８にて形成された開口内に実質的に延びる支持部７０に取付けられる。空気の圧力は、正圧弁６６をアダプタハウジング２３に設けた弁座７２に押し付け、弁のシール力を増強する。正圧空気源３８が使用者の要求を満たす空気流を供給しない場合は、使用者の吸入作用が、フェースマスク室８４内に正味負圧を生じさせる。正味負圧は弁６６を弁座７２から引き離し、カートリッジ３２（３４）を通して空気を吸引することを可能にする。図示実施形態では、正圧弁６６は、シリコーンゴム等の高可撓性材料から形成されるダイヤフラム弁である。この用途で様々な構造の逆止弁を好適に使用でき、本発明はこのような逆止弁を特定の形式に限定するものではない。
【００２９】
吸入弁８０は、吸入口６２に隣接した開口８２を横断するように配置され、出入口領域５２内の空気が、フェースマスク２６と使用者の顔（図示せず）との間に画成されるフェースマスク室８４に進入することを可能にする。吸入弁８０もまた、シリコーンゴム等の高可撓性材料から形成できる。図示構成の代わりに、吸入弁８０をアダプタハウジング２３に設置してもよい。使用者の呼気の間に生じるフェースマスク室８４内の正味正圧は、吸入弁８０を弁座８６に対して押し付ける。フェースマスク室８４内の過剰な圧力は、排気口２８（図１参照）から放出される。
【００３０】
正圧空気源３８は、例えばコンプレッサの作動不良、空気導管３６の偶発的なもつれや切断、機動性の向上を目的とした使用者による意図的な空気導管３６の分離等の、様々な理由で縮小されたり終結されることがある。図５の矢印は、正圧空気源３８が使用者の要求により縮小され、又は終結されたときの、呼吸用保護装置２０を通る空気の流れを示す。出入口領域５２に正圧が生じないので、正圧弁６６は弁座７２から持ち上げられて、空気がフィルタカートリッジ３２（３４）を通って流れることを可能にする。図５に示す状態では、呼吸用保護装置２０は負圧装置として作用し、使用者の肺活量に依存して、空気をフィルタカートリッジ３２（３４）の開口９０を通し、濾過媒体９２を通過させて、フェースマスク室８４内に吸い込む。図４に関連して説明したように、使用者の呼気時に吸入弁８０が弁座８６に押し付けられ、フェースマスク室８４内の過剰な圧力は、排気口２８（図１参照）から放出される。
【００３１】
使用者が空気導管３６を正圧空気源３８から分離した場合、呼吸用保護装置２０が負圧モードで作動しているときは、空気導管３６内の逆止弁４０が、汚染空気が空気導管に吸い込まれるのを防ぐ。図１に示す実施形態では、逆止弁４０は、使用者が正圧空気源３８から呼吸用保護装置２０を分離することを可能にする急速解除機構４２に隣接して配置される。
【００３２】
図６（ａ）、（ｂ）は、正圧／負圧アダプタ２２、２４の製造方法の一例を示す。アダプタの主要構成要素は、ベース１００、カバー１０２、多孔部材５４、及びガスケット５５である。ベース１００は、フェースマスク２６の差込コネクタ６０′に係合する雌差込コネクタ６０Ｆを備える。さらにベース１００は、空気導管３６を保持するための嵌め輪又は他の許容できる固定手段を有した引っかけ付コネクタ１０４を備える。空気導管３６を引っかけ付コネクタ１０４に保持するために、引張板ばね及び保持クリップを追加することもできる。ベース１００及びカバー１０２は、ポリエチレン、ポリプロピレン、ポリスチレン等の様々な高分子材料から形成できる。この用途では、ミネソタ州ミネアポリスのHimontから入手可能なポリプロピレン6323が好適である。
【００３３】
空気導管３６は一般に、引っかけ付コネクタ１０４の外径に相当する６mmの内径を有するが、内径３mmの空気導管も好適に使用される。小形の動力付空気浄化式呼吸器を使用するアプリケーションに関しては、一般に２５mmの孔径を有した空気導管が要求される。引っかけ付コネクタ１０４の外径は、いかなる寸法の空気導管をも受容するように製造できる。この用途では、テキサス州ヒューストンのシェルケミカル社から入手可能なShell Kraton G2701及びG2705 の50/50 混合物から形成される管を使用できる。
【００３４】
図６（ｂ）は、空気導管３６をコネクタ１０４に取付ける方法、及びベース１００とカバー１０２との間に気密シールを形成する方法の一例を示す。空気導管３６に取付けられたアダプタハウジング２３は、型内に配置されて高分子材料１０６を被覆成形される。この用途では様々な高分子材料１０６を使用できるが、特定の高分子材料の適合性により、理想の機械的強度及び気密シールを形成する化学接着を生じることが分かっている。例えば、バーモント州セントアルバンスのクオリティサービステクノロジーから入手可能な商標名Monprene 2850Mで販売されている高分子材料、前述のKraton、又はポリプロピレンは、ポリプロピレンからなるベース１００及びカバー１０２、並びにKraton又はMonpreneからなる空気導管３６に特に適合する。
【００３５】
図７（ａ）、（ｂ）は、一対のアダプタ２２、２４を連結するためのＹコネクタ３７を形成する被覆成形技術の使用を示す。Ｙ取付具１１０は、空気導管３６の３つの部分に取付けられる。次いでＹ取付具１１０と空気導管３６とは、上記材料を用いて、図７（ｂ）に示すように被覆成形される。
図８及び図９は、呼吸用保護装置２０の変形例を示す。この変形例では、空気導管３６がフェースマスク２６の後方に延長される。図９に示すように、空気導管３６は使用者の背後に向けて延長され、使用者の活動を妨げないようになっている。
【００３６】
図１０は、呼吸用保護装置２０の他の変形例を示す。この変形例では、フィルタカートリッジ３２、３４が取外され、代わりに弁蓋１１２、１１４が取付けられている。図１０に示す構成では、呼吸用保護装置２０は、図１に実質的に対応する正圧式呼吸用保護装置としてのみ作動する。
図１１は、変形例としてフルフェースマスク式の呼吸用保護装置２０′を示す。この装置は、正圧空気源３８に接続された一対の正圧／負圧アダプタ２２′、２４′を備える。フルフェースマスク式の呼吸用保護装置２０′は、一般に使用者の口、鼻及び両目を覆う。
【００３７】
上記した種々の実施形態は、本発明の範囲を限定するものではなく、本発明の他の様々な修正は上記説明から当業者に自明であろう。上記説明は、発明を明示するための特定の実施形態を例示するものであって、本発明は、上記実施形態、及びそれに含まれる特定の要素、寸法、材料、形状に限定されるものではない。本発明の様々な修正及び変形は、特許請求の範囲の記載に包含される。
【図面の簡単な説明】
【図１】正圧空気源に接続された正圧／負圧アダプタを備える呼吸用保護装置の概略図である。
【図２】図１の呼吸用保護装置の側面図である。
【図３】正圧／負圧アダプタの切り欠き斜視図である。
【図４】正圧空気源に接続された正圧／負圧アダプタを備える呼吸用保護装置の断面側面図である。
【図５】正圧空気源が縮小又は終結された状態の、図４の呼吸用保護装置の図である。
【図６】（ａ）被覆成形前の正圧／負圧アダプタの断面側面図、及び（ｂ）被覆成形後の正圧／負圧アダプタの断面側面図、である。
【図７】（ａ）被覆成形前の正圧／負圧アダプタ用のＹ取付具の斜視図、及び（ｂ）被覆成形後の正圧／負圧アダプタ用のＹ取付具の斜視図、である。
【図８】図１の呼吸用保護装置の変形形態を示す図である。
【図９】図８の呼吸用保護装置の側面図である。
【図１０】フィルタカートリッジを取り外した図１の呼吸用保護装置の変形形態を示す図である。
【図１１】正圧空気源に接続された正圧／負圧アダプタを備えるフルフェースマスク式の呼吸用保護装置の変形形態を示す図である。
【符号の説明】
２０…呼吸用保護装置
２２、２４…正圧／負圧アダプタ
２６…フェースマスク
３２、３４…フィルタカートリッジ
３６…空気導管
３８…正圧空気源
４０…逆止弁
５４…多孔部材
６６…正圧弁
８０…吸入弁
【図１】
0003756571.tif 000003
【図２】
0003756571.tif 000004
【図３】
0003756571.tif 000005
【図４】
0003756571.tif 000006
【図５】
0003756571.tif 000007
【図６】
0003756571.tif 000008
【図７】
0003756571.tif 000009
【図８】
0003756571.tif 000010
【図９】
0003756571.tif 000011
【図１０】
0003756571.tif 000012
【図１１】
0003756571.tif 000013